(57)【要約】【課題】第２接点の接点不良などによる信頼性の低下を抑制する。【解決手段】点灯装置１は、第２接点６が閉じている状態でスイッチングレギュレータ１２が動作すると、第２インダクタンス素子１６及びダイオード１７を通して直流電源４から電流が流れ込む。本実施形態の点灯装置１では、インピーダンス素子のインピーダンス値（主に第２インダクタンス素子１６のインダクタンス値）に応じて、第２接点６に必要な電流を確保することができる。その結果、本実施形態の点灯装置１は、第２接点６に接触不良等の不具合を生じ難くさせて信頼性の低下を抑制することができる。【選択図】        図１
2016021317.tif 000002
【特許請求の範囲】
【請求項１】
直流電圧が印加されることで点灯する複数の光源部を負荷とする点灯装置であって、
第１接点を介して直流電源に電気的に接続される第１入力端子と、第２接点を介し且つ前記第１入力端子と並列に前記直流電源に電気的に接続される第２入力端子と、前記第１接点及び前記第２接点との間に前記直流電源の電源電圧が印加される共通入力端子と、前記第１入力端子と前記共通入力端子の間に印加される前記電源電圧を所望の直流出力電圧に変換するスイッチングレギュレータと、前記直流出力電圧が印加される第１出力端子及び第２出力端子と、前記光源部を介して前記第１出力端子と前記第２出力端子の間に接続される切換スイッチと、前記第２接点の状態を検知して前記切換スイッチを切換制御する切換制御部と、前記第２入力端子と前記スイッチングレギュレータを電気的に接続する１乃至複数のインピーダンス素子とを備え、
前記インピーダンス素子は、前記スイッチングレギュレータの構成要素であり且つ一端が前記第１入力端子と電気的に接続される第１インダクタンス素子と電気的に並列接続される第２インダクタンス素子と、前記第２インダクタンス素子から前記第１インダクタンス素子に向けて電流を流す整流素子とを含むことを特徴とする点灯装置。
【請求項２】
前記第２インダクタンス素子は、前記第１インダクタンス素子よりもインダクタンス値が大きくなるように構成されることを特徴とする請求項１記載の点灯装置。
【請求項３】
前記第２インダクタンス素子のインダクタンス値は、前記第２接点に流れる電流の平均値が所定の最小値以上となるように設定され、前記最小値は、前記第２接点の接点定格における最小適用負荷の電流値であることを特徴とする請求項１又は２記載の点灯装置。
【請求項４】
前記第２インダクタンス素子は、第２スイッチング素子とダイオードの並列回路を有し、前記第２スイッチング素子は、前記スイッチングレギュレータの構成要素である第１スイッチング素子に同期してオン・オフするように構成されることを特徴とする請求項１〜３の何れか１項に記載の点灯装置。
【請求項５】
前記第２スイッチング素子は、前記第２インダクタンス素子に流れる電流が所定値以下に減少したときにオフするように構成されることを特徴とする請求項４記載の点灯装置。
【請求項６】
前記スイッチングレギュレータを構成する第１スイッチング素子をオン・オフする制御部を備え、前記制御部は、前記第１接点が閉じているときに前記第１スイッチング素子をオン・オフ制御し、且つ前記第２接点に流れる電流の平均値が第１しきい値を超えていると判定した場合に前記第１スイッチング素子をオフ状態に維持するように構成されることを特徴とする請求項１〜５の何れか１項に記載の点灯装置。
【請求項７】
前記制御部は、前記第１スイッチング素子をオフ状態に維持し始めた時点から再始動時間が経過した時点で前記第１スイッチング素子をオン・オフするように構成されることを特徴とする請求項６記載の点灯装置。
【請求項８】
前記スイッチングレギュレータを構成する第１スイッチング素子をオン・オフする制御部を備え、前記制御部は、前記第１接点が閉じているときに前記第１スイッチング素子をオン・オフ制御し、且つ前記第２接点に流れる電流の平均値が第２しきい値を超えないように前記第１スイッチング素子をオン・オフ制御するように構成されることを特徴とする請求項１〜５の何れか１項に記載の点灯装置。
【請求項９】
前記切換制御部は、前記第２接点に流れる電流の平均値が第３しきい値を超えている場合に、点灯させる前記光源部の数を減らすように前記切換スイッチを切換制御するように構成されることを特徴とする請求項８記載の点灯装置。
【請求項１０】
請求項１〜９の何れかの点灯装置と、複数の前記光源部を保持して車両に取り付けられる灯具とを備えることを特徴とする車両用前照灯装置。
【発明の詳細な説明】
【技術分野】
【０００１】
本発明は、発光ダイオードなどの固体発光素子を点灯する点灯装置、及び当該点灯装置を用いた車両用前照灯装置に関する。
【背景技術】
【０００２】
従来例として、特許文献１記載の点灯装置を例示する。特許文献１記載の点灯装置は、自動車に搭載される車両用灯具（車両用前照灯装置）に使用される。車両用前照灯装置は、２つの光源ブロックと、各光源ブロックを点灯する点灯装置とを備え、１つの点灯装置で２つの光源ブロックを点灯するように構成される。なお、車両用前照灯装置は、対向車が存在しないときに２つの光源ブロックを双方とも点灯してハイビーム（走行ビーム）を照射し、対向車が存在するときは１つの光源ブロックのみを点灯してロービーム（すれ違いビーム）を照射するように構成される。
【０００３】
点灯装置は、スイッチングレギュレータ、出力制御部、光源選択部、スイッチなどを備える。スイッチングレギュレータは、フライバック式のＤＣ／ＤＣコンバータであり、出力端間に２つの光源ブロックが直列接続される。また、スイッチングレギュレータは、２つのスイッチ（ロービーム用スイッチ及びハイビーム用スイッチ）を介して、直流電源（車載バッテリ）から直流電力が供給される。すなわち、スイッチングレギュレータは、ロービーム用スイッチ及びハイビーム用スイッチが双方ともオフのときに停止し、ロービーム用スイッチ及びハイビーム用スイッチの少なくとも何れか一方がオンのときに動作する。
【０００４】
出力制御部は、スイッチングレギュレータが備えるスイッチング素子をスイッチング制御し、光源ブロックに一定の電流を流すように前記スイッチング素子のオンデューティ比などを調整するように構成される。スイッチは、２つの光源ブロックの接続点と、スイッチングレギュレータの低電位側の出力端との間に設けられ、オン時に一方の光源ブロックの両端を短絡するように構成される。
【０００５】
光源選択部は、ハイビーム用スイッチのオン・オフを検出し、ハイビーム用スイッチがオンのときにスイッチをオフし、ハイビーム用スイッチがオフのときにスイッチをオンするように構成される。つまり、光源選択部がスイッチをオフすれば、２つの光源ブロックが双方とも点灯してハイビームが照射され、光源選択部がスイッチをオンすれば、１つの光源ブロックのみが点灯してロービームが照射される。なお、ロービーム用スイッチ及びハイビーム用スイッチは、逆接続保護用のダイオードのそれぞれを介して、スイッチングレギュレータの入力端と電気的に接続される。
【０００６】
特許文献１記載の従来例は、１つのスイッチングレギュレータで２つの光源ブロックを点灯するように構成されることで車両用前照灯装置の製造コストを低減している。
【先行技術文献】
【特許文献】
【０００７】
【特許文献１】特開２００４−１３６７１９号公報
【発明の概要】
【発明が解決しようとする課題】
【０００８】
ところで、上記従来例におけるロービーム用スイッチ及びハイビーム用スイッチには、数アンペア程度の電流が流れるので、接点の定格電流が数アンペア以上のメカニカルスイッチ又はメカニカルリレーが用いられる。ここで、メカニカルスイッチ及びメカニカルリレーは、接点定格として最小適用負荷の電流値が規定されている。そして、メカニカルスイッチ及びメカニカルリレーの接点に前記最小適用負荷の電流値未満の電流しか流れない場合、メカニカルスイッチ及びメカニカルリレーの接点に接触不良等の不具合の発生する可能性がある。
【０００９】
特許文献１記載の従来例では、ロービーム用スイッチ及びハイビーム用スイッチのそれぞれに接続されている各ダイオードにより、ロービーム用スイッチ及びハイビーム用スイッチに流れる電流がアンバランスになる可能性がある。すなわち、ロービーム用スイッチに接続されるダイオードの順方向電圧と、ハイビーム用スイッチに接続されるダイオードの順方向電圧とが同一でない場合、順方向電圧が低い方のダイオードにより多くの電流が流れる。その結果、順方向電圧が高い方のダイオードに接続されているスイッチに流れる電流が減少し、当該スイッチの接点に接触不良等の不具合が発生して信頼性の低下を招く虞がある。
【００１０】
本発明は、上記課題に鑑みて為されたものであり、第２接点の接点不良などによる信頼性の低下を抑制することを目的とする。
【課題を解決するための手段】
【００１１】
本発明の点灯装置は、直流電圧が印加されることで点灯する複数の光源部を負荷とする点灯装置であって、第１接点を介して直流電源に電気的に接続される第１入力端子と、第２接点を介し且つ前記第１入力端子と並列に前記直流電源に電気的に接続される第２入力端子と、前記第１接点及び前記第２接点との間に前記直流電源の電源電圧が印加される共通入力端子と、前記第１入力端子と前記共通入力端子の間に印加される前記電源電圧を所望の直流出力電圧に変換するスイッチングレギュレータと、前記直流出力電圧が印加される第１出力端子及び第２出力端子と、前記光源部を介して前記第１出力端子と前記第２出力端子の間に接続される切換スイッチと、前記第２接点の状態を検知して前記切換スイッチを切換制御する切換制御部と、前記第２入力端子と前記スイッチングレギュレータを電気的に接続する１乃至複数のインピーダンス素子とを備え、前記インピーダンス素子は、前記スイッチングレギュレータの構成要素であり且つ一端が前記第１入力端子と電気的に接続される第１インダクタンス素子と電気的に並列接続される第２インダクタンス素子と、前記第２インダクタンス素子から前記第１インダクタンス素子に向けて電流を流す整流素子とを含むことを特徴とする。
【００１２】
本発明の車両用前照灯装置は、前記点灯装置と、複数の前記光源部を保持して車両に取り付けられる灯具とを備えることを特徴とする。
【発明の効果】
【００１３】
本発明の点灯装置及び車両用前照灯装置は、第２接点の接点不良などによる信頼性の低下を抑制することができるという効果がある。
【図面の簡単な説明】
【００１４】
【図１】本発明に係る点灯装置の実施形態１を示す回路図である。
【図２】本発明に係る点灯装置の実施形態２を示す回路図である。
【図３】本発明に係る点灯装置の実施形態３を示す回路図である。
【図４】本発明に係る点灯装置の実施形態４を示す回路図である。
【図５】本発明に係る点灯装置の実施形態５を示す回路図である。
【図６】本発明に係る車両用前照灯装置の実施形態６を示す断面図である。
【図７】同上を搭載した車両を示す斜視図である。
【発明を実施するための形態】
【００１５】
以下、本発明に係る点灯装置及び車両用前照灯装置の実施形態について、図面を参照して詳細に説明する。なお、以下の各実施形態において、発光ダイオードからなる光源部を負荷とする場合を例示するが、光源部は発光ダイオードに限定されず、直流電圧が印加されて点灯する他の固体発光素子（例えば、有機エレクトロルミネッセンス素子）であっても構わない。また、自動車のヘッドライトに適用される車両用前照灯装置を例示するが、自動車以外の車両、例えば、オートバイや電車などに搭載されるヘッドライトに適用される車両用前照灯装置であっても構わない。
【００１６】
（実施形態１）
本発明に係る点灯装置の実施形態１について、図面を参照して詳細に説明する。
【００１７】
本実施形態の点灯装置１は、図１に示すように、第１入力端子１０Ａ、第２入力端子１０Ｂ、共通入力端子１０Ｃの３つの入力端子を備える。第１入力端子１０Ａは、第１接点５を介して直流電源４の正極と電気的に接続される。第２入力端子１０Ｂは、第２接点６を介して直流電源４の正極と電気的に接続される。共通入力端子１０Ｃは、直流電源４の負極と電気的に接続される。
【００１８】
また、点灯装置１は、第１出力端子１１Ａ、第２出力端子１１Ｂ、第３出力端子１１Ｃの３つの出力端子を備える。第１出力端子１１Ａは、第１光源部２の正極と電気的に接続される。第２出力端子１１Ｂは、第２光源部３の負極と電気的に接続される。第３出力端子１１Ｃは、第１光源部２の負極及び第２光源部３の正極と電気的に接続される。
【００１９】
第１光源部２及び第２光源部３は、何れも複数個（図示例では４個）の発光ダイオード２０，３０の直列回路として構成されている。第１光源部２及び第２光源部３の正極が一端側の発光ダイオード２０，３０のアノードと電気的に接続され、第１光源部２及び第２光源部３の負極が他端側の発光ダイオード２０，３０のカソードと電気的に接続される。
【００２０】
なお、第１接点５及び第２接点６は、例えば、メカニカル（機械式）リレーのリレー接点で構成されても良いし、あるいは、半導体リレーなどで構成されても良い。
【００２１】
点灯装置１は、スイッチングレギュレータ（以下、レギュレータと略す。）１２、制御部１３、切換スイッチ１４、切換制御部１５、インピーダンス素子などを備える。また、点灯装置１は、フィルタＦ１，Ｆ２やコンデンサＣ１，Ｃ２、インダクタＬ１などを備えることが好ましい。
【００２２】
切換スイッチ１４は、ｎチャネル型の電界効果トランジスタであり、ソースが第２出力端子１１Ｂと電気的に接続され、ドレインが第３出力端子１１Ｃと電気的に接続され、ゲートが切換制御部１５の出力端子と電気的に接続される。
【００２３】
切換制御部１５は、第２接点６が開いている場合、出力端子の電圧をハイレベルにして切換スイッチ１４をオンし、第２接点６が閉じている場合、出力端子の電圧をローレベルにして切換スイッチ１４をオフするように構成される。
【００２４】
レギュレータ１２は、従来周知であるフライバック方式のＤＣ／ＤＣコンバータであり、第１スイッチング素子１２０、トランス１２１、ダイオード１２２、平滑コンデンサ１２３などを構成要素として備える。
【００２５】
トランス１２１は、１次巻線（第１インダクタンス素子１２１０）と２次巻線１２１１を有する。第１インダクタンス素子１２１０の一端がフィルタＦ１を介して第１入力端子１０Ａと電気的に接続される。２次巻線１２１１の一端がダイオード１２２のアノードに電気的に接続され、２次巻線１２１１の他端がグランド及び共通入力端子１０Ｃ、第２出力端子１１Ｂに電気的に接続される。ダイオード１２２のカソードがインダクタＬ１を介して第１出力端子１１Ａと電気的に接続される。平滑コンデンサ１２３の高電位側の端子がダイオード１２２のカソードと電気的に接続され、平滑コンデンサ１２３の低電位側の端子がグランド及び第２出力端子１１Ｂと電気的に接続される。
【００２６】
第１スイッチング素子１２０は、ｎチャネル型の電界効果トランジスタであり、ソースがグランドと電気的に接続され、ドレインが第１インダクタンス素子１２１０及びフィルタＦ１を介して第１入力端子１０Ａと電気的に接続される。
【００２７】
フィルタＦ１は、第１入力端子１０Ａから漏れ出るスイッチングノイズを抑制するように構成される。また、コンデンサＣ１は、第１インダクタンス素子１２１０と第１入力端子１０Ａの接続点と共通入力端子１０Ｃ（グランド）との間に挿入される。
【００２８】
第２入力端子１０Ｂは、インピーダンス素子（第２インダクタンス素子１６及びダイオード１７）を介してレギュレータ１２と電気的に接続される。ダイオード１７のカソードが第１スイッチング素子１２０のドレインと第１インダクタンス素子１２１０の接続点に電気的に接続される。ダイオード１７のアノードが第２インダクタンス素子１６の一端と電気的に接続される。第２インダクタンス素子１６の他端が第２入力端子１０Ｂと電気的に接続される。第２入力端子１０Ｂと共通入力端子１０Ｃの間には、フィルタＦ２とコンデンサＣ２が電気的且つ並列に接続される。なお、フィルタＦ２は、第２入力端子１０Ｂから漏れ出るスイッチングノイズを抑制するように構成される。
【００２９】
制御部１３は、第２出力端子１１Ｂに流れる出力電流を計測し、当該出力電流を所望の目標値に一致させるように、レギュレータ１２の第１スイッチング素子１２０をオン・オフ制御する。すなわち、制御部１３は誤差増幅器（図示せず）を有し、前記出力電流の計測値と目標値の差分（誤差）の絶対値を減らすように、第１スイッチング素子１２０のオンデューティ比を調整することが好ましい。あるいは、制御部１３は、第１スイッチング素子１２０のオンデューティ比を調整する代わりに、第１スイッチング素子１２０のスイッチング周波数を調整しても構わない。また、制御部１３は、レギュレータ１２の出力電圧Ｖ０を検知し、出力電圧Ｖ０が所定の上限値を超えないように前記オンデューティ比（あるいはスイッチング周波数）を調整することが好ましい。
【００３０】
次に、本実施形態の点灯装置１の動作を説明する。
【００３１】
第１接点５及び第２接点６が双方とも開いている場合、３つの入力端子１０Ａ〜１０Ｃに電源電圧が印加されないため、点灯装置１は動作せずに停止状態を維持する。このとき、第１接点５のみが閉じられると、第１入力端子１０Ａと共通入力端子１０Ｃに直流電源４の電源電圧が印加され、制御部１３が第１スイッチング素子１２０のオン・オフ制御を開始する。ここで、第２接点６が開いているため、切換制御部１５は切換スイッチ１４をオンする。第２出力端子１１Ｂと第３出力端子１１Ｃが切換スイッチ１４を介して短絡されるので、レギュレータ１２の出力電流は第１光源部２のみに流れて第２光源部３には流れない。その結果、点灯装置１は、２つの光源部２，３のうちの第１光源部２のみを点灯させる。
【００３２】
一方、第１接点５と第２接点６が双方とも閉じられると、切換制御部１５が切換スイッチ１４をオフするので、レギュレータ１２の出力電流が第１光源部２と第２光源部３に流れる。その結果、点灯装置１は、２つの光源部２，３を双方とも点灯させる。なお、本実施形態においては、負荷である２つの光源部２，３が出力端子１１Ａ，１１Ｂに対して直列に接続されているので、第１光源部２のみを点灯させるときと、第１光源部２と第２光源部３を点灯させるときとで出力電流の目標値は共通で差し支えない。
【００３３】
ここで、第１接点５と第２接点６が双方とも閉じられている場合の点灯装置１の動作について、さらに詳しく説明する。
【００３４】
制御部１３が第１スイッチング素子１２０をオンすると、直流電源４から第１接点５を介して第１入力端子１０Ａに直流電流が入力される。この直流電流は、第１入力端子１０Ａからトランス１２１の第１インダクタンス素子１２１０及び第１スイッチング素子１２０を介して共通入力端子１０Ｃに流れる。故に、トランス１２１には、第１スイッチング素子１２０のオン期間に対応した磁気エネルギーが蓄積される。
【００３５】
また、第１スイッチング素子１２０がオンしているとき、第２入力端子１０Ｂにも直流電源４から第２接点６を介して直流電流が入力される。この直流電流は、第２入力端子１０Ｂから第２インダクタンス素子１６及びダイオード１７、第１スイッチング素子１２０を介して共通入力端子１０Ｃに流れる。故に、第２インダクタンス素子１６には、第１スイッチング素子１２０のオン期間に対応した磁気エネルギーが蓄積される。なお、ダイオード１７の整流作用により、第１インダクタンス素子１２１０に流れた電流が第２インダクタンス素子１６に流れることはない。
【００３６】
そして、制御部１３が第１スイッチング素子１２０をオフすると、トランス１２１の２次巻線１２１１に誘起される電圧でダイオード１２２が導通し、トランス１２１に蓄積された磁気エネルギーが電気エネルギーとしてトランス１２１の２次側に放出される。当該電気エネルギーは、ダイオード１２２を介して平滑コンデンサ１２３を充電し、平滑コンデンサ１２３を介して第１出力端子１１Ａ及び第２出力端子１１Ｂから第１光源部２及び第２光源部３に供給される。このとき、トランス１２１の１次巻線（第１インダクタンス素子１２１０）には、Ｖ１＝−Ｖ０／Ｎで表される電圧が生じる。ただし、Ｖ０は平滑コンデンサ１２３の両端電圧（レギュレータ１２の出力電圧）であり、Ｎはトランス１２１の巻数比である。また、電圧Ｖ１の符号は、図１に示した矢印の向きを正としている。
【００３７】
一方、コンデンサＣ１の両端電圧をＶＣ１、コンデンサＣ２の両端電圧をＶＣ２とし、ダイオード１７の順方向電圧を無視すれば、第２インダクタンス素子１６には、Ｖ２＝ＶＣ１−ＶＣ２＋Ｖｏ／Ｎで表される電圧Ｖ２が印加される。ただし、２つのコンデンサＣ１，Ｃ２には、何れも直流電源４の電源電圧が印加されているため、ＶＣ１とＶＣ２はほぼ等しくなる。故に、第２インダクタンス素子１６の両端電圧Ｖ２は、第１インダクタンス素子１２１０の両端電圧Ｖ１とほぼ等しくなる。
【００３８】
直流電源４から第２接点６及び第２入力端子１０Ｂを介して第２インダクタンス素子１６に流れる電流Ｉ２は、第１スイッチング素子１２０がオフする直前の電流値から、第２インダクタンス素子１６の両端電圧Ｖ２に対応して単調減少する。そして、第２インダクタンス素子１６に蓄積された磁気エネルギーは、電流Ｉ２としてトランス１２１を介して平滑コンデンサ１２３に供給される。つまり、第２インダクタンス素子１６に蓄積されるエネルギーも、第１インダクタンス素子１２１０に蓄積されるエネルギーと同様に負荷である光源部２，３に供給される。
【００３９】
また、インダクタンス素子を有する回路に流れる電流の大きさは、当該インダクタンス素子のインダクタンス値の逆数に比例する。そのため、第１スイッチング素子１２０のオン時に第１インダクタンス素子１２１０に流れる電流の平均値と、第２インダクタンス素子１６に流れる電流の平均値との比率は、それぞれのインダクタンス値の比率によって決まる。
【００４０】
そこで、第２インダクタンス素子１６のインダクタンス値は、第２接点６に流れる電流の平均値が第２接点６の接点定格における最小適用負荷の電流値以上となるような値に設定されることが好ましい。これにより、第２接点６に接触不良などの不具合が生じる可能性が低下する。さらに、第２インダクタンス素子１６のインダクタンス値は、第１インダクタンス素子１２１０のインダクタンス値よりも大きくされることが好ましい。これにより、第２インダクタンス素子１６に流れる電流の平均値が必要以上に大きくならないため、ダイオード１７における損失の低減を図ることができる。
【００４１】
また、第２接点６が閉じている場合に第２インダクタンス素子１６の両端に生じる電圧Ｖ２は、ダイオード１７の順方向電圧よりも充分に高い。そのため、特許文献１記載の従来例と異なり、直流電源４から第２接点６に流れる電流の平均値がダイオード１７の順方向電圧に大きな影響を受けないから、第２接点６に流れる電流の平均値のばらつきが抑えられる。
【００４２】
上述のように本実施形態の点灯装置１は、直流電圧が印加されることで点灯する複数の光源部２，３を負荷とする点灯装置である。点灯装置１は、第１接点５を介して直流電源４に電気的に接続される第１入力端子１０Ａと、第２接点６を介し且つ第１入力端子１０Ａと並列に直流電源４に電気的に接続される第２入力端子１０Ｂとを備える。また、点灯装置１は、第１接点５及び第２接点６との間に直流電源４の電源電圧が印加される共通入力端子１０Ｃと、第１入力端子１０Ａと共通入力端子１０Ｃの間に印加される電源電圧を所望の直流出力電圧に変換するスイッチングレギュレータ１２とを備える。さらに、点灯装置１は、直流出力電圧が印加される第１出力端子１１Ａ及び第２出力端子１１Ｂと、光源部２，３を介して第１出力端子１１Ａと第２出力端子１１Ｂの間に接続される切換スイッチ１４とを備える。さらにまた、点灯装置１は、第２接点６の状態を検知して切換スイッチ１４を切換制御する切換制御部１５と、第２入力端子１０Ｂとスイッチングレギュレータ１２を電気的に接続する１乃至複数のインピーダンス素子とを備える。インピーダンス素子は、第２インダクタンス素子１６と整流素子（ダイオード１７）とを含む。第２インダクタンス素子１６は、第１インダクタンス素子１２１０と電気的に並列接続される。第１インダクタンス素子１２１０は、スイッチングレギュレータ１２の構成要素であり且つ一端が第１入力端子１０Ａと電気的に接続される。整流素子（ダイオード１７）は、第２インダクタンス素子１６から第１インダクタンス素子１２１０に向けて電流を流すように構成される。
【００４３】
本実施形態の点灯装置１は上述のように構成され、第２接点６が閉じている状態でスイッチングレギュレータ１２が動作すると、第２インダクタンス素子１６及びダイオード１７を通して直流電源４から電流が流れ込む。このとき、直流電源４から第１接点５を介して流れ込む電流と、第２接点６を介して流れ込む電流との比率は、概ね第１インダクタンス素子１２１０のインダクタンス値とインピーダンス素子のインピーダンス値との比率で決まる。したがって、本実施形態の点灯装置１では、インピーダンス素子のインピーダンス値（主に第２インダクタンス素子１６のインダクタンス値）に応じて、第２接点６に流れる電流を調整することができ、必要な電流を確保できる。その結果、本実施形態の点灯装置１は、第２接点６に接触不良等の不具合を生じ難くさせて信頼性の低下を抑制することができる。
【００４４】
また、本実施形態の点灯装置１において、第２インダクタンス素子１６は、第１インダクタンス素子１２１０よりもインダクタンス値が大きくなるように構成されることが好ましい。本実施形態の点灯装置１が上述のように構成されれば、第２インダクタンス素子１６に流れる電流が過度に大きくなることが防止できる。
【００４５】
さらに、本実施形態の点灯装置１において、第２インダクタンス素子１６のインダクタンス値は、第２接点６に流れる電流の平均値が所定の最小値以上となるように設定されることが好ましい。前記最小値は、第２接点６の接点定格における最小適用負荷の電流値であることが好ましい。本実施形態の点灯装置１が上述のように構成されれば、第２接点６に接触不良等の不具合が生じる可能性をさらに低減することができる。
【００４６】
なお、本実施形態の点灯装置１において、第２インダクタンス素子１６のインダクタンス値が第１インダクタンス素子１２１０よりもインダクタンス値が大きくされたり、電圧降下を生じる素子（ダイオード１７）が挿入されることが好ましい。本実施形態の点灯装置１が上述のように構成されれば、第２インダクタンス素子１６の両端電圧が第１インダクタンス素子１２１０の両端電圧よりも低くなる。その結果、第１スイッチング素子１２０がオフからオンに切り換わるときに第２インダクタンス素子１６の電流がゼロまで低下しない（電流連続モードにて動作することがない）ため、第２インダクタンス素子１６に流れる電流が過度に大きくなることが防止できる。
【００４７】
ここで、第２接点６がオンからオフに切り換わった場合、コンデンサＣ２に蓄積されている電荷は、第１スイッチング素子１２０がオンしているときに直ちに放電される。そのため、切換制御部１５は、第２接点６のオフ状態を素早く検出することができる。また、第２接点６に流れる電流の平均値が大きいため、切換制御部１５が第２接点６の状態を検出するための信号（コンデンサＣ２の両端電圧）の耐ノイズ性が向上するという利点がある。なお、第１スイッチング素子１２０や切換スイッチ１４は電界効果トランジスタに限定されず、例えば、バイポーラトランジスタなどであっても構わない。
【００４８】
（実施形態２）
本実施形態の点灯装置１は、図２に示すように、レギュレータ１２の構成が実施形態１の点灯装置１と異なり、その他の構成については、実施形態１の点灯装置１と共通である。故に、実施形態１の点灯装置１と共通の構成要素には同一の符号を付して説明を省略する。
【００４９】
本実施形態におけるレギュレータ１２は、第１スイッチング素子１２０、チョークコイル（第１インダクタンス素子１２４）、ダイオード１２２、平滑コンデンサ１２３などを備えた非絶縁型の昇圧チョッパとして構成される。すなわち、第１光源部２及び第２光源部３を構成する発光ダイオード２０，３０の個数が多く、負荷である光源の電圧が常に電源電圧より高い条件であれば、本実施形態におけるレギュレータ１２は、直流電源４の電源電圧を昇圧して出力する必要がある。
【００５０】
第１インダクタンス素子１２４は、一端がフィルタＦ１を介して第１入力端子１０Ａと電気的に接続され、他端がダイオード１２２のアノード及び第１スイッチング素子１２０のドレインと電気的に接続される。ダイオード１２２のカソードは、インダクタＬ１を介して第１出力端子１１Ａと電気的に接続される。平滑コンデンサ１２３は、高電位側の端子がダイオード１２２のカソードと電気的に接続され、低電位側の端子がグランド及び第２出力端子１１Ｂと電気的に接続される。
【００５１】
第１スイッチング素子１２０のドレインがダイオード１２２のアノード及び第１インダクタンス素子１２４の接続点と、ダイオード１７のカソードとに電気的に接続される。また、第１スイッチング素子１２０のソースがグランドと共通入力端子１０Ｃと第２出力端子１１Ｂとに電気的に接続される。
【００５２】
次に、本実施形態の点灯装置１の動作を説明する。
【００５３】
第１接点５のみが閉じられると、直流電源４の電源電圧によって平滑コンデンサ１２３が充電される。そして、制御部１３が第１スイッチング素子１２０をオンすると、直流電源４から第１インダクタンス素子１２４及び第１スイッチング素子１２０を介して電流が流れ、第１インダクタンス素子１２４に磁気エネルギーが蓄えられる。制御部１３が第１スイッチング素子１２０をオフすると、第１インダクタンス素子１２４に蓄積された磁気エネルギーが電気エネルギーとして放出され、ダイオード１２２を介して平滑コンデンサ１２３が充電される。このとき、平滑コンデンサ１２３の両端電圧は、直流電源４の電源電圧よりも高い電圧に昇圧されて第１出力端子１１Ａ及び第２出力端子１１Ｂから第１光源部２と第２光源部３に出力される。
【００５４】
一方、第１接点５と第２接点６が双方とも閉じられている場合、制御部１３が第１スイッチング素子１２０をオンすると、第１入力端子１０Ａだけでなく、第２入力端子１０Ｂにも直流電源４から第２接点６を介して直流電流が入力される。この直流電流は、第２入力端子１０Ｂから第２インダクタンス素子１６及びダイオード１７、第１スイッチング素子１２０を介して共通入力端子１０Ｃに流れる。故に、第２インダクタンス素子１６には、第１スイッチング素子１２０のオン期間に対応した磁気エネルギーが蓄積される。なお、ダイオード１７の整流作用により、第１インダクタンス素子１２４に流れた電流が第２インダクタンス素子１６に流れることはない。
【００５５】
そして、制御部１３が第１スイッチング素子１２０をオフすると、第１インダクタンス素子１２４及び第２インダクタンス素子１６に蓄積された磁気エネルギーが、電気エネルギーとして放出され、ダイオード１２２介して平滑コンデンサ１２３が充電される。つまり、実施形態１の点灯装置１と同様に、本実施形態の点灯装置１においても、第２接点６に必要な電流を確保することができる。
【００５６】
なお、レギュレータ１２は昇圧チョッパ回路に限定されず、例えば、絶縁型のフォワード方式のＤＣ／ＤＣコンバータでも構わない。この場合、第１インダクタンス素子１２４に相当する絶縁トランスの１次巻線の一端と第１スイッチング素子１２０のドレインとの接続点にダイオード１７のカソードが電気的に接続される。
【００５７】
（実施形態３）
本実施形態の点灯装置１は、図３に示すように、レギュレータ１２の構成が実施形態１及び２の点灯装置１と異なり、その他の構成については、実施形態１及び２の点灯装置１と共通である。故に、実施形態１及び２の点灯装置１と共通の構成要素には同一の符号を付して説明を省略する。
【００５８】
本実施形態におけるレギュレータ１２は、第１スイッチング素子１２０、チョークコイル（第１インダクタンス素子１２４）、ダイオード１２２、平滑コンデンサ１２３などを備えた非絶縁型の降圧チョッパとして構成される。すなわち、第１光源部２及び第２光源部３を構成する発光ダイオード２０，３０の個数が少なく、負荷である光源の電圧が常に電源電圧より低い条件であれば、本実施形態におけるレギュレータ１２は、直流電源４の電源電圧を降圧して出力する必要がある。
【００５９】
第１インダクタンス素子１２４は、一端がフィルタＦ１を介して第１入力端子１０Ａと電気的に接続され、他端がインダクタＬ１を介して第１出力端子１１Ａと電気的に接続される。ダイオード１２２のカソードは、第１インダクタンス素子１２４と第１入力端子１０Ａの接続点に電気的に接続される。ダイオード１２２のアノードは、第２出力端子１１Ｂと第１スイッチング素子１２０のドレインに電気的に接続される。平滑コンデンサ１２３は、高電位側の端子が第１インダクタンス素子１２４とインダクタＬ１の接続点に電気的に接続され、低電位側の端子がグランド及び第２出力端子１１Ｂと電気的に接続される。
【００６０】
第１スイッチング素子１２０のドレインが第２出力端子１１Ｂと電気的に接続され、第１スイッチング素子１２０のソースがグランドと共通入力端子１０Ｃに電気的に接続される。
【００６１】
次に、本実施形態の点灯装置１の動作を説明する。
【００６２】
第１接点５のみが閉じられた状態において、制御部１３が第１スイッチング素子１２０をオンする。すると、直流電源４から第１インダクタンス素子１２４、平滑コンデンサ１２３及び第１スイッチング素子１２０を介して電流が流れ、第１インダクタンス素子１２４に磁気エネルギーが蓄えられる。制御部１３が第１スイッチング素子１２０をオフすると、第１インダクタンス素子１２４に蓄積された磁気エネルギーが電気エネルギーとして放出され、ダイオード１２２を介して平滑コンデンサ１２３が充電される。このとき、平滑コンデンサ１２３の両端電圧は、直流電源４の電源電圧よりも低い電圧に降圧されて第１出力端子１１Ａ及び第２出力端子１１Ｂから第１光源部２と第２光源部３に出力される。
【００６３】
一方、第１接点５と第２接点６が双方とも閉じられている場合、制御部１３が第１スイッチング素子１２０をオンすると、第１入力端子１０Ａだけでなく、第２入力端子１０Ｂにも直流電源４から第２接点６を介して直流電流が入力される。この直流電流は、第２入力端子１０Ｂから第２インダクタンス素子１６及びダイオード１７、平滑コンデンサ１２３、第１スイッチング素子１２０を介して共通入力端子１０Ｃに流れる。故に、第２インダクタンス素子１６には、第１スイッチング素子１２０のオン期間に対応した磁気エネルギーが蓄積される。なお、ダイオード１７の整流作用により、第１インダクタンス素子１２４に流れた電流が第２インダクタンス素子１６に流れることはない。
【００６４】
そして、制御部１３が第１スイッチング素子１２０をオフすると、第１インダクタンス素子１２４及び第２インダクタンス素子１６に蓄積された磁気エネルギーが、電気エネルギーとして放出され、ダイオード１２２，１７を介して平滑コンデンサ１２３に充電される。つまり、実施形態１，２の点灯装置１と同様に、本実施形態の点灯装置１においても、第２接点６に必要な電流を確保することができる。
【００６５】
なお、レギュレータ１２は、実施形態１のフライバック方式や実施形態２の省圧チョッパ方式、本実施形態の降圧チョッパ方式以外の方式のＤＣ／ＤＣコンバータ、例えば、Ｃuｋ（チューク）コンバータやＳＥＰＩＣ（Single Ended Primary Inductance Converter）などで構成されても構わない。
【００６６】
（実施形態４）
本実施形態の点灯装置１は、図４に示すように、ダイオード１７に代えて、ｎチャネル型の電界効果トランジスタ（以下、ＭＯＳＦＥＴと呼ぶ。）１２５が、第２インダクタンス素子１６と直列に接続される点に特徴がある。なお、その他の構成については、実施形態１の点灯装置１と共通であるから、実施形態１の点灯装置１と共通の構成要素には同一の符号を付して説明を省略する。ただし、本実施形態の特徴点は、実施形態２及び実施形態３の点灯装置１に適用されても良い。
【００６７】
ＭＯＳＦＥＴ１２５のソースは、第２インダクタンス素子１６の一端と電気的に接続される。ＭＯＳＦＥＴ１２５のドレインは、第１スイッチング素子１２０のドレインと第１インダクタンス素子１２１０の接続点に電気的に接続される。また、ＭＯＳＦＥＴ１２５のゲートは、第１スイッチング素子１２０のゲートとともに制御部１３に電気的に接続される。なお、ＭＯＳＦＥＴ１２５のソースとドレインの間には、寄生ダイオード１２６が存在する。この寄生ダイオード１２６のアノードがＭＯＳＦＥＴ１２５のソースと電気的に接続され、寄生ダイオード１２６のカソードがＭＯＳＦＥＴ１２５のドレインと電気的に接続されている。
【００６８】
次に、第１接点５と第２接点６が双方とも閉じている場合において、本実施形態の点灯装置１の動作を説明する。制御部１３が第１スイッチング素子１２０のゲート電圧をハイレベルにして第１スイッチング素子１２０をオンすると、ＭＯＳＦＥＴ１２５の寄生ダイオード１２６が導通し、ＭＯＳＦＥＴ１２５のソースの電位がほぼグランド電位まで低下する。そのため、ＭＯＳＦＥＴ１２５のゲート電位が実質的にソース電位よりも高くなるので、ＭＯＳＦＥＴ１２５がオンする。このとき、ＭＯＳＦＥＴ１２５のオン抵抗が低ければ、寄生ダイオード１２６の順方向電圧よりもＭＯＳＦＥＴ１２５のソース−ドレイン間の電圧の方が低くなる。故に、第１スイッチング素子１２０のオン期間に第２インダクタンス素子１６に流れる電流は、寄生ダイオード１２６ではなく、ＭＯＳＦＥＴ１２５に流れる。その結果、実施形態１におけるダイオード１７の損失に比較して、ＭＯＳＦＥＴ１２５のオン抵抗による損失の方が少なくなる。
【００６９】
一方、制御部１３が第１スイッチング素子１２０のゲート電圧をローレベルにして第１スイッチング素子１２０をオフすると、ＭＯＳＦＥＴ１２５のゲート電位も低下してＭＯＳＦＥＴ１２５がオフする。しかしながら、第２インダクタンス素子１６から放出される電気エネルギー（電流）は、ＭＯＳＦＥＴ１２５の寄生ダイオード１２６を通して第１インダクタンス素子１２１０へと流れる。
【００７０】
上述のように本実施形態の点灯装置１において、第２インダクタンス素子１６は、第２スイッチング素子（ＭＯＳＦＥＴ１２５）とダイオード（寄生ダイオード１２６）の並列回路を有することが好ましい。第２スイッチング素子（ＭＯＳＦＥＴ１２５）は、スイッチングレギュレータ１２の構成要素である第１スイッチング素子１２０に同期してオン・オフするように構成されることが好ましい。
【００７１】
本実施形態の点灯装置１は上述のように構成されるので、第１スイッチング素子１２０のオン時に第２インダクタンス素子１６に流れる電流による損失の低減を図ることができる。
【００７２】
また、本実施形態の点灯装置１において、第２インダクタンス素子１６とコンデンサＣ２の接続点と、第１インダクタンス素子１２１０とコンデンサＣ１の接続点との間に、コンデンサＣ３が電気的に接続されることが好ましい。このコンデンサＣ３は、第２インダクタンス素子１６から放出される電流の経路をバイパスする役割を担っている。つまり、実施形態１の点灯装置１では、第２インダクタンス素子１６から放出される電流は、第１インダクタンス素子１２１０から２つのコンデンサＣ１，Ｃ２を通って第２インダクタンス素子１６に戻る経路で流れる。
【００７３】
一方、本実施形態の点灯装置１では、第２インダクタンス素子１６から放出される電流は、第１インダクタンス素子１２１０から１つのコンデンサＣ３のみを通って第２インダクタンス素子１６に戻る経路で流れる。したがって、本実施形態の点灯装置１は、前記電流の流れる経路を短縮することにより、ノイズの発生を抑制することができる。なお、上述した実施形態１〜３においても、第１インダクタンス素子１２１０とコンデンサＣ１の接続点との間にコンデンサＣ３が電気的に接続されれば、ノイズの発生を抑制することができる。
【００７４】
なお、第２スイッチング素子（ＭＯＳＦＥＴ１２５）は、必ずしも、第１スイッチング素子１２０のゲートに与えられる電圧でオン・オフされる必要は無い。例えば、制御部１３が、第１スイッチング素子１２０のゲートと、第２スイッチング素子（ＭＯＳＦＥＴ１２５）のゲートにそれぞれ個別に電圧を印加しても構わない。この場合、制御部１３は、第２インダクタンス素子１６に電流が流れている期間、若しくは、第２インダクタンス素子１６に電流が流れていると想定される期間に、第２スイッチング素子（ＭＯＳＦＥＴ１２５）をオンするように構成されることが好ましい。このような構成であれば、第２スイッチング素子（ＭＯＳＦＥＴ１２５）に流れる電流による損失をさらに低減することができる。
【００７５】
上述のように本実施形態の点灯装置１において、第２スイッチング素子（ＭＯＳＦＥＴ１２５）は、第２インダクタンス素子１６に流れる電流が所定値以下に減少したときにオフするように構成されることが好ましい。本実施形態の点灯装置１が上述のように構成されれば、第２スイッチング素子（ＭＯＳＦＥＴ１２５）に電流が流れ続けることがなく、第２スイッチング素子（ＭＯＳＦＥＴ１２５）に流れる電流による損失をさらに低減することができる。
【００７６】
また、本実施形態の点灯装置１では、ダイオード１７に代えてＭＯＳＦＥＴ１２５を用いているが、これに限定されるものではない。例えば、寄生ダイオードを有しないバイポーラトランジスタとダイオードの並列回路がＭＯＳＦＥＴ１２５の代わりに用いられても構わない。
【００７７】
（実施形態５）
ところで、実施形態１〜４の各点灯装置１において、第１接点５の故障などが原因で第１入力端子１０Ａから電流が入力されない状況に陥る場合がある。この場合において、第２接点６が閉じられると、制御部１３は、第２入力端子１０Ｂからの入力電流のみで出力電流を目標値に一致させるようにレギュレータ１２を定電流制御しようとする。
【００７８】
しかしながら、実施形態１で説明したように、第２入力端子１０Ｂからの入力電流が第１入力端子１０Ａからの入力電流よりも少なくなるように、第２インダクタンス素子１６やダイオード１７の定数が設定されている。そのため、第２インダクタンス素子１６やダイオード１７に過大な電流が流れた場合、第２インダクタンス素子１６やダイオード１７などの素子が故障する虞がある。
【００７９】
そこで、本実施形態の点灯装置１では、制御部１３は、第２入力端子１０Ｂから入力される電流を検知し、前記入力電流の平均値が第１しきい値を超えていると判定した場合にレギュレータ１２を停止させるように構成されている。以下、本実施形態の点灯装置１について、図５を参照して詳細に説明する。ただし、本実施形態の点灯装置１の基本構成は実施形態１の点灯装置１と共通であるので、実施形態１の点灯装置１と共通の構成要素には同一の符号を付して説明を省略する。
【００８０】
図５に示すように、第２入力端子１０Ｂと第２インダクタンス素子１６との間に検出抵抗Ｒ１が挿入されている。制御部１３は、検出抵抗Ｒ１の両端電圧を取り込み、例えば、前記両端電圧をフィルタ回路などにより平均化処理することで、第２入力端子１０Ｂからの入力電流の平均値を検知することが好ましい。
【００８１】
また、本実施形態の点灯装置１において、切換制御部１５は第２入力端子１０Ｂと電気的に接続されておらず、制御部１３と電気的に接続されている。つまり、切換制御部１５は、制御部１３からの指示を受けて切換スイッチ１４をオン・オフするように構成されることが好ましい。
【００８２】
而して、第１接点５の故障などが原因で第１入力端子１０Ａから電流が入力されない状況に陥った場合、第２入力端子１０Ｂからの入力電流の平均値がしきい値を超えると、制御部１３が第１スイッチング素子１２０をオフ状態に維持する。その結果、レギュレータ１２が停止し、第２入力端子１０Ｂからの電流の入力も停止するので、第２インダクタンス素子１６やダイオード１７などに過大な電流が流れることを防止できる。
【００８３】
上述のように本実施形態の点灯装置１は、スイッチングレギュレータ１２を構成する第１スイッチング素子１２０をオン・オフする制御部１３を備えることが好ましい。制御部１３は、第１接点５が閉じているときに第１スイッチング素子１２０をオン・オフ制御するように構成されることが好ましい。さらに、制御部１３は、第２接点６に流れる電流の平均値が第１しきい値を超えていると判定した場合に第１スイッチング素子１２０をオフ状態に維持するように構成されることが好ましい。
【００８４】
本実施形態の点灯装置１が上述のように構成されれば、第２インダクタンス素子１６やダイオード１７などに過大な電流が流れることを防止できる。なお、制御部１３は、直流電源４からの給電が一度停止した後に再開されれば、第１スイッチング素子１２０のオン・オフ制御を再開することが好ましい。
【００８５】
また、本実施形態の点灯装置１において、制御部１３は、第１スイッチング素子１２０をオフ状態に維持し始めた時点から再始動時間が経過した時点で第１スイッチング素子１２０をオン・オフするように構成されても構わない。ただし、制御部１３は、再始動後においても、第２入力端子１０Ｂからの入力電流の平均値がしきい値を超えれば、第１スイッチング素子１２０を再びオフ状態に維持することが好ましい。
【００８６】
あるいは、本実施形態の点灯装置１において、制御部１３は、第２接点６に流れる電流の平均値が第２しきい値を超えないように第１スイッチング素子１２０をオン・オフ制御するように構成されても構わない。本実施形態の点灯装置１が上述のように構成されれば、第２インダクタンス素子１６やダイオード１７などに過大な電流が流れることを防止しつつ、第１光源部２及び第２光源部３を点灯させ続けることができる。
【００８７】
また、本実施形態の点灯装置１において、切換制御部１５は、第２接点６に流れる電流の平均値が第３しきい値を超えている場合に、点灯させる光源部２，３の数を減らすように切換スイッチ１４を切換制御するように構成されることが好ましい。例えば、第２接点６に流れる電流の平均値が第３しきい値を超えた場合、制御部１３が切換制御部１５に指示して切換スイッチ１４をオンさせれば、入力電流の低減を図ることができる。ただし、切換スイッチ１４をオンした後も第２接点６に流れる電流の平均値が第２しきい値を超えていれば、制御部１３は、レギュレータ１２を停止させることが好ましい。
【００８８】
なお、本実施形態の点灯装置１では、第２入力端子１０Ｂからの入力電流を検出抵抗Ｒ１で検出するように構成されているが、このような構成に限定されず、入力電流の平均値がしきい値以上であることが直接的又は間接的に判定可能な構成であればよい。
【００８９】
また、上述した実施形態１〜５の各点灯装置１において、第１光源部２が第１出力端子１１Ａと第２出力端子１１Ｂの間に電気的に接続され、第２光源部３が第１出力端子１１Ａと第３出力端子１１Ｃの間に電気的に接続されても構わない。この場合、２つの光源部２，３は、切換スイッチ１４がオンしている場合にレギュレータ１２の出力端子に対して並列に接続され、切換スイッチ１４がオフしている場合に第２光源部３が切り離されることになる。また、光源部の個数は２つに限定されるものではなく、３個以上の光源部が複数の切換スイッチを介してレギュレータ１２の出力端子に接続されるように構成されても構わない。さらに、制御部１３は、アナログ回路とディジタル回路の何れの回路構成であってもよく、その一部若しくは全部がマイクロコントローラとソフトウェアとで構成されても構わない。
【００９０】
（実施形態６）
本発明に係る車両用前照灯装置の実施形態を図６に示す。本実施形態の車両用前照灯装置（以下、前照灯装置と略す。）は、点灯装置１と、点灯装置１を保持して車両８に取り付けられる灯具７とを備える。灯具７は、図７に示すように、普通乗用車（自動車）などの車両８の前端部における左右両側に取り付けられる。
【００９１】
灯具７は、灯具本体７０、カバー７１、一対の放熱体７２、一対の反射板７３などを備える。灯具本体７０は、合成樹脂により、前面が開口された有底筒状に形成される。カバー７１は、石英ガラスやアクリル樹脂などの透光性を有する材料により、後面が開口された有底筒状に形成される。そして、灯具本体７０の前端にカバー７１の後端が結合され、カバー７１で塞がれる灯具本体７０内に、第１光源部２、第２光源部３、放熱体７２、反射板７３が収納される。
【００９２】
放熱体７２は、例えば、アミルダイカストなどにより、平板の一面に多数の放熱フィンが設けられることが好ましい。一方の放熱体７２の平板の上面に第１光源部２と一方の反射板７３が取り付けられ、他方の放熱体７２の平板の上面に第２光源部３と他方の反射板７３が取り付けられる。各反射板７３は、半球状に形成されており、その内周面で各光源部２，３から放射される光を前方に反射するように構成されている。
【００９３】
点灯装置１は、実施形態１〜５の何れの点灯装置１であっても構わない。この点灯装置１は、金属製のケース１９に収納されて灯具本体７０の下面に取り付けられる。なお、点灯装置１と各光源部２，３とは、電源ケーブル１８を介して電気的に接続されることが好ましい。
【００９４】
また、点灯装置１の第１入力端子１０Ａは、第１接点５を介して、車両８に搭載されているバッテリ（直流電源４）の正極と電気的に接続される。同じく、点灯装置１の第２入力端子１０Ｂは、第２接点６を介して直流電源４の正極と電気的に接続される。さらに、点灯装置１の共通入力端子１０Ｃは、直流電源４の負極及び車両８の車体（グランド）と電気的に接続される。
【００９５】
第１接点５及び第２接点６は、車両８のダッシュボードに設けられたスイッチや、ステアリングコラムに設けられたコンビネーションスイッチが操作されることで開閉するように構成されることが好ましい。これらのスイッチで点灯操作がされたときに第１接点５が閉じ、ハイビーム（走行ビーム）への切換操作がされたときに第２接点６が閉じるように構成される。
【符号の説明】
【００９６】
１  点灯装置
２  第１光源部（光源部）
３  第２光源部（光源部）
４  直流電源
５  第１接点
６  第２接点
１２  スイッチングレギュレータ
１３  制御部
１４  切換スイッチ
１５  切換制御部
１６  第２インダクタンス素子
１７  ダイオード（整流素子）
１２１０  第１インダクタンス素子
【図１】
2016021317.tif 000003
【図２】
2016021317.tif 000004
【図３】
2016021317.tif 000005
【図４】
2016021317.tif 000006
【図５】
2016021317.tif 000007
【図６】
2016021317.tif 000008
【図７】
2016021317.tif 000009